【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
レーザ光発生装置であって、
縦列と横列とに配置されたレーザダイオードを有する２次元配置のレーザレーであって、該２次元配置のレーザダイオードの各々は該縦列の方向に画定される速い軸と、該横列の方向に画定される遅い軸とを備える該２次元配置のレーザレーと、
該２次元配置のレーザレーの該縦列のうちの２以上の列のレーザダイオードによって発生されたレーザ光を２以上の光ファイバに描く光学アセンブリとを備えるレーザ光発生装置。
【請求項２】
請求項１に記載のレーザ光発生装置であって、前記該２次元配置のレーザレーの該縦列のうちの少なくとも一つの列のレーザダイオードによって発生されたレーザ光を光ファイバの入口端に描く光学アセンブリはまとめられたビームを形成し、該縦列の方向にまとめられたビームの明るさは該横列の方向にまとめられたビームの明るさとほぼ等しいことを特徴とするレーザ光発生装置。
【請求項３】
請求項１に記載のレーザ光発生装置であって、該光学アセンブリは、該２次元配置のレーザレーの該縦列のうちの少なくとも二つの列のレーザダイオードによって発生されたレーザ光を光ファイバの入口端に描くことを特徴とするレーザ光発生装置。
【請求項４】
請求項１に記載のレーザ光発生装置であって、該２次元配置のレーザレーのうちのレーザダイオードによって発生されたレーザ光は、光学アセンブリによって複数の光ファイバに描かれ、該光学アセンブリは、該２次元配置のレーザレーと該複数の光ファイバの入口端との間に配置される複数の光学部材を有することを特徴とするレーザ光発生装置。
【請求項５】
請求項４に記載のレーザ光発生装置であって、該光学アセンブリは、該２次元配置のレーザレーの縦列のうちの２つの縦列の組のレーザダイオードによって発生されたレーザ光は一の光ファイバに描かれるように、該２次元配置のレーザレーの縦列のうちの２つの縦列の組のレーザダイオードによって発生されたレーザ光を組合わせる少なくとも一つの光学組合器を備えることを特徴とレーザ光発生装置。
【請求項６】
請求項５に記載のレーザ光発生装置であって、該光学組合器は偏光組合器であることを特徴とレーザ光発生装置。
【請求項７】
請求項４に記載のレーザ光発生装置であって、さらに、該複数の光ファイバを単一のファイバにまとめるファイバ組合器を有することを特徴とするレーザ光発生装置。
【請求項８】
請求項１に記載のレーザ光発生装置であって、該２次元配置のレーザレーは、一次元配置のレーザダイオードバーであって、各々のレーザダイオードバーには複数のレーザダイオードが形成さるレーザダイオードバーを有し、前記各々のレーザダイオードバーが該２次元配置のレーザレーの横列を形成していることを特徴とするレーザ光発生装置。
【請求項９】
請求項８に記載のレーザ光発生装置であって、該レーザダイオードバーは、ともに、積み重ねられていることを特徴とするレーザ光発生装置。
【請求項１０】
請求項８に記載のレーザ光発生装置であって、該レーザダイオードバーは、出力の方向角が分散するようにともに配置されていることを特徴とするレーザ光発生装置。
【請求項１１】
レーザ光発生方法であって、
縦列と横列とに配置されたレーザダイオードを有する２次元配置のレーザレーであって、該２次元配置のレーザダイオードの各々は該縦列の方向に画定される速い軸と、該横列の方向に画定される遅い軸とを備える該２次元配置のレーザレーを励起する工程と、
該２次元配置のレーザレーの該縦列のうちの少なくとも一つの列のレーザダイオードによって発生されたレーザ光を光ファイバに描く工程とを備えるレーザ光発生方法。
【請求項１２】
請求項１１に記載のレーザ光発生方法であって、前記描く工程では、該光ファイバにまとめられたビームを形成し、該縦列の方向にまとめられたビームの明るさは該横列の方向にまとめられたビームの明るさとほぼ等しいことを特徴とするレーザ光発生方法。
【請求項１３】
請求項１１に記載のレーザ光発生方法であって、前記描く工程では、該２次元配置のレーザレーの該縦列のうちの少なくとも二つの列のレーザダイオードによって発生されたレーザ光を光ファイバの入口端に描くことを特徴とするレーザ光発生方法。
【請求項１４】
請求項１３に記載のレーザ光発生方法であって、前記描く工程では、該２次元配置のレーザレーのうちのレーザダイオードによって発生されたレーザ光を複数の光ファイバに描くことを特徴とするレーザ光発生方法。
【請求項１５】
請求項１４に記載のレーザ光発生方法であって、前記描く工程では、該２次元配置のレーザレーの縦列のうちの２つの縦列の組のレーザダイオードによって発生されたレーザ光は一の光ファイバに描かれるように、該２次元配置のレーザレーの縦列のうちの２つの縦列の組のレーザダイオードによって発生されたレーザ光を組合わせることを特徴とレーザ光発生方法。
【請求項１６】
請求項１４に記載のレーザ光発生方法であって、さらに、該複数の光ファイバを通過するレーザ光を単一のファイバにまとめることを特徴とするレーザ光発生装置。
【請求項１７】
レーザダイオードからレーザ光のビームを発生するシステムであって、
各々が２次元配置のレーザレーと、光学アセンブリと、複数の光ファイバとを備える複数のレーザモジュールであって、該複数のレーザモジュールの該２次元配置のレーザレーは縦列と横列とに配置されたレーザダイオードを有する２次元配置のレーザレーであって、該２次元配置のレーザダイオードの各々は該縦列の方向に画定される速い軸と、該横列の方向に画定される遅い軸とを備え、該光学アセンブリは、該２次元配置のレーザレーのレーザダイオードによって発生されたレーザ光を複数の光ファイバに描き、該２次元配置のレーザレーの該縦列のうちの少なくとも一つの列のレーザダイオードによって発生されたレーザ光が該複数のレーザモジュールのうちの一つの複数の光ファイバに描かれる該複数のレーザモジュールと、
複数のファイバ組合器であって、各ファイバ組合器は、レーザモジュールの複数の光ファイバに接続され、該複数の光ファイバを一の組み合わされた光ファイバにまとめる複数のファイバ組合器と、
該ファイバ組合器から該一の組み合わされた光ファイバを受けるスペクトル組合器であって、該複数のレーザモジュールによって発生されたレーザ光が最終的な出力光ファイバにスペクトル的に組み合わされるようなスペクトル組合器とを備えるレーザ光発生システム。
【請求項１８】
請求項１７に記載のレーザ光発生システムであって、各レーザモジュールの光学アセンブリは該２次元配置のレーザレーの該縦列のうちのレーザダイオードによって発生されるレーザ光を前記各レーザモジュールの光ファイバの入口端に描くことを特徴とするレーザ光発生システム。
【請求項１９】
請求項１８に記載のレーザ光発生システムであって、各レーザモジュールアセンブリの光学アセンブリは、該２次元配置のレーザレーと各レーザモジュールの光ファイバの入口端との間に配置される複数の光学部材を有することを特徴とするレーザ光発生システム。
【請求項２０】
請求項１９に記載のレーザ光発生システムであって、各レーザモジュールの光学アセンブリは、該２次元配置のレーザレーの隣接する２つの縦列中のレーザダイオードによって発生されたレーザ光であって、前記２つの縦列中のレーザダイオードによって発生されたレーザ光が前記各レーザモジュールの光ファイバに描かれるように該レーザ光を組み合わせる少なくとも一つの組合器を有することを特徴とするレーザ光発生システム。
【請求項２１】
請求項２０に記載のレーザ光発生システムであって、各レーザモジュールは、一次元配置のレーザダイオードバーであって、各々のレーザダイオードバーには複数のレーザダイオードが形成さるレーザダイオードバーを有し、前記各々のレーザダイオードバーが前記各レーザモジュールの該２次元配置のレーザレーの横列を形成していることを特徴とするレーザ光発生システム。
【請求項２２】
請求項１８に記載のレーザ光発生装置であって、各レーザモジュールの該レーザダイオードバーは、ともに、積み重ねられていることを特徴とするレーザ光発生装置。
【請求項２３】
請求項２１に記載のレーザ光発生装置であって、各レーザモジュールの該レーザダイオードバーは、出力の方向角が分散するようにともに配置されていることを特徴とするレーザ光発生装置。